(57)【要約】【課題】擬似点灯の発生を低減することが可能な構成の表示装置を提供する。【解決手段】第１光源６１と、第１光源６１が出射した光を導光する導光板１１と、導光板１１の裏側に位置する第２光源６２と、を備え、導光板１１は、第１光源６１からの光で第１の意匠１０１，１０２を点灯させて表示する第１点灯表示部１００と、第２光源６２からの光で第２の意匠２０１を点灯させて表示する第２点灯表示部２００と、を有し、第１点灯表示部１００は、第１光源６１からの光が導光板１１を透過することで、第１の意匠１０１を点灯させて表示し、第２点灯表示部２００は、第２光源６２からの光が導光板１１を透過することで、第２の意匠２０１を点灯させて表示する表示装置１において、第２点灯表示部２００は、第２光源６２から出射された光が通過する意匠板２０を導光板１１の裏面側に備えた。【選択図】図２
2015007681.tif 000002
【特許請求の範囲】
【請求項１】
第１光源と、
前記第１光源が出射した光を導光する導光板と、
前記導光板の裏側に位置する第２光源と、を備え、
前記導光板は、前記第１光源からの光で第１の意匠を点灯させて表示する第１点灯表示部と、前記第２光源からの光で第２の意匠を点灯させて表示する第２点灯表示部と、を有し、
前記第１点灯表示部は、前記第１光源からの光が前記導光板を透過することで、前記第１の意匠を点灯させて表示し、
前記第２点灯表示部は、前記第２光源からの光が前記導光板を透過することで、前記第２の意匠を点灯させて表示する表示装置において、
前記第２点灯表示部は、前記第２光源から出射された光が通過する意匠板を前記導光板の裏面側に備えた、ことを特徴とする表示装置。
【請求項２】
前記第１点灯表示部は、指針によって指示される指標領域であり、
第２点灯表示部は、前記指針によって指示されない非指標領域であることを特徴とする請求項１に記載の表示装置。
【請求項３】
前記意匠板は、前記第２の光源が配置される筒状の反射壁によって形成された照明室に設けられた段差部にはめ込まれるように配置されていることを特徴とする請求項１または請求項２に記載の表示装置。
【発明の詳細な説明】
【技術分野】
【０００１】
本発明は、表示装置に関する。
【背景技術】
【０００２】
従来の表示装置として、例えば、特許文献１に開示されたものがある。特許文献１に開示された表示装置は、自動車などの速度計として構成され、光源からの光を導入して、出射する導光部材と、この導光部材が出射した光を裏側から受けて拡散させる光拡散板と、この光拡散板で拡散した光によって透過照明される目盛り板（意匠表示部）と、を備えるものである（同文献の図１等参照）。
【先行技術文献】
【特許文献】
【０００３】
【特許文献１】特開２００３−２７０００３号公報
【発明の概要】
【発明が解決しようとする課題】
【０００４】
特許文献１に係る表示装置の構成では、例えば、意匠表示部に形成された目盛り部が点灯する点灯表示部（第１点灯表示部）として構成される。このような構成で、目盛り部以外に、意匠表示部に、目盛り部を点灯させる光源とは独立した光源により点灯する第２点灯表示部を形成した場合を考える。この場合、第２点灯表示部を点灯させる光源を消灯して第２点灯表示部を消灯させたいにもかかわらず、第１点灯表示部を点灯させる光源からの光が光拡散板で拡散され、第２点灯表示部が点灯してしまうことがあった（以下、このように所望の点灯表示部とは別の点灯表示部が意図せず点灯してしまうことを「擬似点灯」という）。擬似点灯が発生すると、表示装置の表示品位が低下するため、好ましくない。
【０００５】
本発明は、上記実状に鑑みてなされたものであり、擬似点灯の発生を低減することが可能な構成の表示装置を提供することを目的とする。
【課題を解決するための手段】
【０００６】
本発明に係る表示装置は、第１光源と、前記第１光源が出射した光を導光する導光板と、前記導光板の裏側に位置する第２光源と、を備え、前記導光板は、前記第１光源からの光で第１の意匠を点灯させて表示する第１点灯表示部と、前記第２光源からの光で第２の意匠を点灯させて表示する第２点灯表示部と、を有し、前記第１点灯表示部は、前記第１光源からの光が前記導光板を透過することで、前記第１の意匠を点灯させて表示し、前記第２点灯表示部は、前記第２光源からの光が前記導光板を透過することで、前記第２の意匠を点灯させて表示する表示装置において、前記第２点灯表示部は、前記第２光源から出射された光が通過する意匠板を前記導光板の裏面側に備えた、ことを特徴とする。
【０００７】
また、本発明に係る表示装置は、前記第１点灯表示部は、指針によって指示される指標領域であり、第２点灯表示部は、前記指針によって指示されない非指標領域であることを特徴とする。
【０００８】
また、本発明に係る表示装置は、前記意匠板は、前記第２の光源が配置される筒状の反射壁によって形成された照明室に設けられた段差部にはめ込まれるように配置されていることを特徴とする。
【発明の効果】
【０００９】
本発明によれば、擬似点灯の発生を低減することが可能な構成の表示装置を提供することができる。
【図面の簡単な説明】
【００１０】
【図１】（ａ）は、本発明の一実施形態に係る表示装置の意匠表示部の平面図である。（ｂ）は、同上意匠表示部の指針及び警告表示を除いた平面図である。
【図２】図１（ａ）に示す意匠表示部のＡ−Ａ断面図である。
【発明を実施するための形態】
【００１１】
本発明の一実施形態に係る表示装置を、図面を参照して説明する。
【００１２】
本発明の一実施形態に係る表示装置は、図１に示す表示装置１である。
表示装置１は、車両に搭載されるものであり、後述する指針５０と指標表示部１００とを対比判読させることによりユーザ（主に車両の運転者）に、所定の計測値（例えば車速）を報知する。また、表示装置１は、後述する警告表示部２００を点灯させることで、所定の警告情報をユーザに報知する。
【００１３】
表示装置１は、図１及び図２に示すように、意匠表示部１０と、回路基板３０と、モータ４０と、指針５０と、第１光源６１と、第２光源６２と、ホルダ７０と、導光体８０と、警告表示部２００と、を備えている。
【００１４】
意匠表示部１０は、図１の点線で示すように、指針５０の回動領域となる導光エリア１０ａと指針５０によって指示されない減光エリア１０ｂとからなるものである。意匠表示部１０は、第１透明板１１において遮光部１２が形成されていない部分において、指標表示部１００を表現する。
【００１５】
導光エリア１０ａは、第１透明板１１と、遮光部１２と、低屈折率部１３と、光透過拡散部１４と、から構成され、指標表示部１００を表示する部分である。
【００１６】
減光エリア１０ｂは、第２透明板２１と、遮光部１２と、低屈折率部１３と、光透過拡散部１４と、から構成された意匠板２０によって警告表示部２００を表示する部分である。
【００１７】
減光エリア１０ｂの裏面側には、警告意匠２０１が印刷により形成された意匠板２０が配置され、後述する第２光源６２によって照明されることによって、警告表示部２００の警告意匠２０１が表示される。
【００１８】
第１透明板１１は、所定の樹脂材料からなる透明な板状部材である。第１透明板１１は、無色透明でも有色透明でもよい。第１透明板１１には、図２に示すように、モータ４０の回転軸４１を通すための貫通孔１１ａが形成されている。なお、図２では、第１透明板１１の断面を示すハッチングを省略している。
【００１９】
遮光部１２は、第１透明板１１の表面上に遮光性のインク等を、印刷、塗装等することによって、形成される層である。遮光部１２は、例えば、黒色、濃紺色等である。遮光部１２は、単色であってもよいし、複数色で形成されていてもよい。本実施形態の場合、遮光部１２は、意匠表示部１０の指標表示部１００（目盛１０１及び数字１０２）を除く導光エリア１０ａの表面上と、警告表示部２００を除く減光エリア１０ｂの表面上及び裏面上に形成されている。
【００２０】
低屈折率部１３は、第１低屈折率部１３ａと第２低屈折率部１３ｂとからなる。第１低屈折率部１３ａ及び第２低屈折率部１３ｂは、光透過拡散部１４が形成された第１透明板１１を挟んで、その両面を覆うように設けられる。
【００２１】
光透過拡散部１４は、第１透明板１１における指標表示部１００形成箇所の表面（第１光拡散部１４ａ）及び裏側の面上（第２光拡散部１４ｂ）に、光透過性及び光拡散性を有する材料を、印刷、塗装等を施すことによって形成される層である。
【００２２】
意匠板２０は、第２透明板２１の裏面側に、遮光部２２、着色部２３、拡散部２４が順次積層されているものである。第２透明板２１は、所定の樹脂材料からなる透明な板状部材である。第２透明板２１は、警告意匠２０１を透過表示するものであり、第１透明板１１における減光エリア１０ｂの裏面側に配置される。
【００２３】
着色部２３は、本実施形態の場合、警告を示す赤色であり、着色部２３によって表示される箇所を除いて遮光性のインク等からなる遮光部２２を、印刷、塗装等することによって、警告意匠２０１が形成される層である。
【００２４】
指標表示部１００は、指針５０と協同してユーザに所定の計測値（例えば車速）を報知するための部分であり、指針５０の指示箇所に対応して設けられる指標を表す意匠を表示する。具体的には、本実施形態に係る指標表示部１００は、図１（ａ）、（ｂ）に示すように、指針５０を囲むように円弧状に配列された複数の目盛１０１及び数字１０２からなる。図示しないが、指標表示部１００は、計測値の単位を表す文字（例えば、「ｋｍ／ｈ」）や、記号等を含んでいてもよい。
後述するように、指標表示部１００は、第１光源６１からの光で複数の目盛１０１及び数字１０２を点灯させて表示する。
【００２５】
警告表示部２００は、所定の警告情報を表す意匠を表示する部分（所定の警告情報を報知するための部分）である。具体的には、警告表示部２００は、図１（ａ）に示すように、記号２０１からなる。本実施形態では、記号２０１は、車両のサイドブレーキをかけた状態において点灯するエクスクラメーションマークを表している。図示しないが、警告表示部２００は、その他の記号、文字（数字を含む）、図形等を含んでいてもよい。後述するように、警告表示部２００は、第２光源６２からの光で記号２０１を点灯させて表示する。
【００２６】
低透過率部１６は、第２透明板２１における警告表示部２００形成箇所の表側の面上に、例えば、スモーク塗料を印刷、塗装等を施すことによって形成される層である。低透過率部１６は、第２光源６２の点灯時には、十分にその光を表側に透過させることで警告表示部２００を照明できるが、第２光源６２の非点灯時には、警告表示部２００がほとんどユーザに視認（識別）されなくなる程度の透過率を有するように適宜調整されている。
【００２７】
以上のようにして、意匠表示部１０は、指標表示部１００及び警告表示部２００を表現する。意匠表示部１０は、第１光源６１からの光で複数の目盛１０１及び数字１０２を点灯させて表示する指標表示部１００と、第２光源６２からの光で記号２０１を点灯させて表示する警告表示部２００と、を有する。
【００２８】
回路基板３０は、図２に示すように、導光拡散部２０の裏側に所定間隔を空けて位置する。回路基板３０は、表示装置１全体の動作を制御する制御部（図示せず）等が実装されたプリント回路板からなる。この制御部は、ＣＰＵ（Central Processing Unit）等を含むマイクロコンピュータからなり、例えば、表示装置１の外部（例えば、表示装置１の搭載車両のＥＣＵ（Electronic Control Unit））から供給される信号（車速等を示す信号）に応じて、モータ４０を駆動制御する。また、制御部は、適宜、第１光源６１、第２光源６２を発光させる。
【００２９】
モータ４０は、例えば、ステッピングモータからなり、回路基板３０に実装されている。モータ４０は、回路基板３０の基材に裏側から取り付けられており、基材に設けられた貫通孔３１を通過して表側方向に延びる回転軸４１を有する。モータ４０は、前述の制御部の制御のもとで回転軸４１を回転させる。回転軸４１には、指針５０が取り付けられる。
【００３０】
指針５０は、回転軸４１の回転に伴って回転する。指針５０は、意匠表示部１０の表側で回転し、指標表示部１００の目盛１０１（または、目盛１０１の間）を指示する。前述の制御部は、外部から供給される車速のデータに応じた回転角でモータ４０の回転軸４１を回転させるので、指針５０は車速に応じた角度で回転して目盛１０１を指示することができる。
表示装置１は、指針５０と指標表示部１００とを対比判読させることで、計測値（例えば、車速）をユーザに報知する。
【００３１】
指針５０は、導光指針部５１と、指針キャップ５２と、を備える。
導光指針部５１は、指標表示部１００を指示する部分であり、ポリカーボネート系樹脂、アクリル系樹脂等の導光性材料から形成され、第１光源６１からの光により発光する。導光指針部５１は、その裏側から入射した光を、導光指針部５１の先端側（図２中右側）に効率良く反射させる反射面５１ａを有する。指針５０のうち導光指針部５１が、モータ４０の回転軸４１に取り付けられる部分である（例えば、回転軸４１に圧入されている）。なお、図２では、導光指針部５１の断面を示すハッチングを省略している。
指針キャップ５２は、導光指針部５１の回転軸４１近傍を上側から覆う部材であり、所定の樹脂材料により遮光性を有して形成されている。これにより、余分な光が導光指針部５１から漏れ出ることを抑制している。
【００３２】
第１光源６１及び第２光源６２は、例えば、ＬＥＤ（Light Emitting Diode）からなり、回路基板３０に実装されている。第１光源６１及び第２光源６２は、回路基板３０の基材表側に取り付けられており、前述の制御部の制御のもとで、適宜、発光することで、表側方向に光を出射する。図２では、両者ともに１つずつ示したが、複数あってもよい。
【００３３】
第１光源６１は、指針５０及び指標表示部１００を照明するために設けられている。第１光源６１は、例えば、白色に発光する。第１光源６１が、どのようにして指針５０及び指標表示部１００を照明するかは後に述べる。
【００３４】
第２光源６２は、警告表示部２００を照明するために設けられている。第２光源６２は、例えば、赤色に発光する。第２光源６２が、どのようにして警告表示部２００を照明するかは後に述べる。
【００３５】
ホルダ７０は、導光拡散部２０と回路基板３０との間に位置し、例えば、白色系の合成樹脂からなる部材である。ホルダ７０は、その表側で、導光文字板１０を保持し、ホルダ７０の裏側は、回路基板３０に取り付けられている。
【００３６】
ホルダ７０は、互いに独立した空間部である第１照明室７１と第２照明室７２とを有して形成されている。
第１照明室７１内には、第１光源６１が位置する。また、ホルダ７０は、第１照明室７１近傍（例えば、図示しない内壁部）で、導光体８０を保持している。これにより、図２に示すように、導光体８０の大部分が第１照明室７１内に位置する。
第２照明室７２内には、第２光源６２が位置する。第２照明室７２は、第２光源６２からの光を効率良く表側に導く。また、減光エリア１０ｂの裏面側には、意匠板２０が配置される。意匠板２０は、第２の光源６２が配置される筒状の反射壁７２に設けられた段差部７３にはめ込まれるように配置されている。
【００３７】
導光体８０は、ポリカーボネート系樹脂、アクリル系樹脂等からなる略円筒形状の導光部材（透明部材）であり、モータ４０の回転軸４１を取り囲んでいる。
【００３８】
導光体８０の底面部には、第１光源６１と対向し、第１光源６１からの光を受ける受光面８１が形成されている。
また、導光体８０の表側には、受光面８１と概ね対向し、受光面８１から入射し、表側に導かれた光を、導光板２１の主面（表側の面又は裏側の面）と平行な方向に効率良く反射させる反射面８２が形成されている。
また、導光体８０の上端部（図２における上端部）の側周には、導光板２１の内壁部２１ｂと対向し、受光面８１から導光体８０に入射して反射面８２で反射した光（第１光源６１からの光）が出射される出射面８３が形成されている。
【００３９】
表示装置１は、上記に説明したものの他、図示しない筐体を有する。この筐体は、所定の樹脂からなる箱形状の部材であり、その内部に、上記各部（意匠表示部１０、回路基板３０、モータ４０、指針５０、第１光源６１、第２光源６２、ホルダ７０、及び導光体８０）を収納する。筐体の表側には、可視光透過性のあるガラス又は合成樹脂からなる透過部材が設けられており、意匠表示部１０、指針５０が視認可能となっている。
【００４０】
（指針５０及び指標表示部１００の照明）
第１光源６１から出射された光は、第１光源６１と対向する導光体８０の受光面８１に入射する。受光面８１に入射した光は、導光体８０に導かれ、図２における上方に向かい、反射面８２に到達する。
【００４１】
反射面８２に到達した光の一部は、反射面８２で反射されずにそのまま上方に向かい、
貫通孔１１ａを通過し、指針５０の導光指針部５１の裏面から導光指針部５１に入射する。導光指針部５１に入射した光は、反射面５１ａで効率良く反射し、導光指針部５１の先端部に向かう。このようにして、指針５０の導光指針部５１は、第１光源６１からの光により発光する。
【００４２】
一方、反射面８２に到達し、反射面８２で反射した光は、導光体８０の出射面８３から出射される。出射面８３から出射された光は、出射面８３と対向する透明板１１の内壁部１１ａから透明板１１に入射する。透明板１１に入射した光は、透明板１１と第１低屈折率部１３ａ、又は、透明板１１と第２低屈折率部１３ｂとの界面で全反射を繰り返し、透明板１１の内部を進む。このようにして、透明板１１は、第１光源６１から出射された光を導光する。透明板１１の内部を進む光の一部は、第２光拡散部１４ｂに到達する。第２光拡散部１４ｂに到達した光は、拡散される。
第２光拡散部１４ｂによって拡散された光のうち表側（図２における上方）に向かい第１光拡散部１４ａに到達した光、及び、第２光拡散部１４ｂを介さずに第１光拡散部１４ａに到達した光は、第１光拡散部１４ａを透過し、且つ、第１光拡散部１４ａで拡散される。ここで、透明板１１の表側の面への入射角が臨界角よりも小さい光は、全反射せず、第１光拡散部１４ａ及び第１低屈折率部１３ａを介して、指標表示部１００を透過する。これにより、指標表示部１００は、第１光源６１からの光により照らされる（つまり、目盛１０１、数字１０２が点灯する）。
このようにして、遮光部１２によって表された意匠が暗く見え、指標表示部１００が光って見えることになる。
【００４３】
また、透明板１１の内部を進む光の一部は、減光エリア１０ｂにおける第１低屈折率部１３ａに到達する。透明板１１の表側の面への入射角が臨界角よりも小さい光は、全反射せず、低透過率部１６を介して、警告表示部２００を透過する。警告表示部２００を透過した光は、低透過率部１６によって減光される。
また、透明板１１の内部を進む光のうち遮光部１２に到達する光は、そのほとんどが遮光部１２によって遮光される。さらに、透明板１１を導光される光は、第１、第２の低屈折率部１３ａ、１３ｂによる全反射されるので、低透過率部１６に到達することはない。これにより、警告表示部２００は、第１光源６１からの光により照明されることがないので、第１光源６１のみが点灯しているときは、第１光源６１からの光によって意図せず警告表示部２００が点灯してしまう擬似点灯の発生が効果的に低減される構成となっている。
【００４４】
（警告表示部２００の照明）
第２光源６２から出射された光は、拡散層２４に到達し、着色層２３及び第２透明板２１を透過し、第２低屈折率部１３ｂの裏側の面に到達する。
ここで、第２光源６２から出射された光のうち、第２低屈折率部１３ｂの裏側の面に到達した光は、第１透明板１１を透過したのち、第１低屈折率部１３ａを透過したのち、低透過率部１６を透過する。これにより、警告表示部２００は、第２光源６２からの光により照らされる（つまり、警告意匠２０１が点灯する）。
【００４５】
表示装置１は、第１光源６１と、第１光源６１が出射した光を導光する導光板１１と、導光板１１の裏側に位置する第２光源６２と、を備え、導光板１１は、第１光源６１からの光で第１の意匠１０１，１０２を点灯させて表示する指標表示部１００と、第２光源６２からの光で意匠２０１を点灯させて表示する警告表示部２００と、を有し、指標表示部１００は、第１光源６１からの光が導光板１１を透過することで、第１の意匠１０１を点灯させて表示し、警告表示部２００は、第２光源６２からの光が導光板１１を透過することで、警告意匠２０１を点灯させて表示する表示装置１において、警告表示部２００は、第２光源６２から出射された光が通過する意匠板２０を導光板１１の裏面側に備えたことで、第１光源６１のみが点灯しているときは、第１光源６１の光が警告表示部２００に到達することがなく、第１光源６１からの光によって意図せず警告表示部２００が点灯してしまう擬似点灯の発生が効果的に低減される構成となっている。
【００４６】
また、意匠板２０は、第２の光源６２が配置される筒状の反射壁７２によって形成された段差部７３にはめ込まれるように配置されていることにより、警告表示部２０１の専用光源である第２光源６２の光を効果的に透過することが可能となり、警告表示部２００の擬似点灯を防止しつつも、第２光源６２からの光によって警告表示部２００が、効率良く、照明される。
【００４７】
なお、例えば、減光エリア１０ｂが導光エリア１０ａによって囲まれているようなデザインが要求される場合であっても、文字板の形状に対して導光エリア１０ａの領域を適宜設定すればよく、その形状は限定されない。
【符号の説明】
【００４８】
１  表示装置
１０  意匠表示部
１１  透明板（導光板）
１１ａ  貫通孔
１２  遮光部
１３  低屈折率部
１６  低透過率部
１４  光透過拡散部
１００  指標表示部（第１点灯表示部）
１０１  目盛（第１の意匠）
１０２  数字（第１の意匠）
２００  警告表示部（第２点灯表示部）
２０１  警告意匠（第２の意匠）
２０  意匠板
２１  透明板
２２  遮光部
２３  着色部
２４  拡散部
３０  回路基板
４０  モータ
４１  回転軸
５０  指針
６１  第１光源
６２  第２光源
７０  ホルダ
７２  反射壁
７３  段差部
８０  導光体
【図１】
2015007681.tif 000003
【図２】
2015007681.tif 000004